(57)【特許請求の範囲】
【請求項１】
情報通信端末装置と、前記情報通信端末装置の機能を拡張する拡張機能ユニットと、前記情報通信端末装置を保持するクレードルと、を備えてなる情報通信端末システムであって、
前記情報通信端末装置は、表示画面を有する前面と、前記前面の反対側に設けられた背面と、前記前面と前記背面の間に設けられた上面と底面と第１の側面と第２の側面と、を有するケースにより構成され、
前記第１の側面および前記第２の側面に、前記第１の側面および前記第２の側面の長手方向に沿って第１の長さを有する第１の結合部を備え、
前記クレードルは、前記第１の長さよりも短い第２の長さを有し、前記第１の結合部の中で前記底面側に位置する第１の部分と結合する第２の結合部を備え、
前記拡張機能ユニットは、前記第１の長さよりも短い第３の長さを有し、前記第１の結合部の中で前記第１の部分と異なる部分であって、前記第１の部分よりも前記上面側に位置する第２の部分と結合する第３の結合部を備え、
前記第１の結合部に前記第２の結合部とともに前記第３の結合部を結合させ、前記情報通信端末装置に前記拡張機能ユニットを装着した上で、前記情報通信端末装置を前記クレードルに保持可能にすることを特徴とする情報通信端末システム。
【請求項２】
前記底面に、前記クレードルを接続するためのクレードル接続用コネクタと、前記拡張機能ユニットを接続するユニット接続用コネクタを有し、
前記クレードル接続用コネクタは、前記ユニット接続用コネクタが設けられている位置よりも前記前面側に設けられていることを特徴とする請求項１に記載の情報通信端末システム。
【請求項３】
前記第１の結合部は凹溝を有し、前記第２の結合部および前記第３の結合部は凸部形状を有することを特徴とする請求項１または請求項２に記載の情報通信端末システム。
【請求項４】
前記第１の結合部は前記表示画面に平行に備えられ、前記第２の結合部は前記クレードルの底面に対して傾斜するように備えられていることを特徴とする請求項１ないし請求項３のいずれかに記載の情報通信端末システム。
【請求項５】
前記第２の部分は、前記第１の側面および前記第２の側面の長手方向の中央部に位置することを特徴とする請求項１ないし請求項４のいずれかに記載の情報通信端末システム。
【発明の詳細な説明】
【技術分野】
【０００１】
本発明はパーソナル  デジタル  アシスタント（Personal Digital Assistant  以下ＰＤＡと称す）のように手のひらに載る小型軽量で携帯性を有し、無線ＬＡＮ等の無線機能内蔵により各種情報サービスの提供が得られるよう構成した情報通信端末装置と、メモリーカードの挿入機能、あるいは電池（以下バッテリと称す）の容量増大などの拡張機能を付加した拡張機能ユニットと、情報通信端末装置を保持する架台（以下クレードルと称す）を含む情報通信端末システムに関する。
【背景技術】
【０００２】
情報通信端末装置は近年一般的にＰＤＡの呼称で発展を遂げてきている。その
主な用途はスケジュール管理（Personal Information Management）、Ｗｅｂ検索
、電子メール等、多岐に亙る機能の充実が図られている。ところで、ＰＤＡはその
携行性を重視しているため、文字、数や形状キャラクタを表示するための液晶表
示パネルを極力大きく、また必要最小限の操作ボタンと送受信機能、およびそれ
らの信号処理回路と容量の少ないバッテリを内蔵して、小型軽量化を行っている
。
【０００３】
一般的な使用シーンとしてはＰＤＡ本体に一体的に設けたカードスロットに各
機能を有するカードを装着して外出時に携行する。そして使用者は帰宅後あるい
はオフィスで、机上のクレードルにセットし充電あるいはパーソナルコンピュー
ター(以下、ＰＣと略す)とデータ連携して使用する。クレードルは単純な架台と
して、あるいは充電台として使用するものであった。
【０００４】
ところで、ＰＤＡのような情報通信端末装置はさらなる高機能化、たとえばＳ
Ｄ（Secure Digital）カードやＣＦ（Compact Flash）カードなどの記憶媒体の
複数使用、また高機能化に伴う消費電力の増大に対応するためバッテリの拡充が
望まれている。
【０００５】
これら拡張機能として電源用バッテリを付加した例としては、特開２０００−
１３４８３号公報がある。この例では携帯型電子機器のバッテリが消耗した緊急
時に補助バッテリを使用するものである。
【０００６】
ところで、情報通信端末装置を机上で使用する時にその表示パネルを斜めにし
た傾斜設置が使用上便利である。この公知例としては特開平１０−３３６９０６
号公報が傾斜設置を開示している。しかし、この傾斜設置の状態で特開２０００
−１３４８３号公報の拡張機能としての補助バッテリを情報通信端末装置に装着
することは、特開平１０−３３６９０６号公報のようにクレードルに設けた案内
体がある為に、その取り付けができない。
【０００７】
そこで拡張機能ユニットを情報通信端末装置の背面に装着させる方法も容易に
考えられる。ＰＤＡとしての、その公知例としては特開２０００−１７５３６５
号公報が挙げられる。この例では携帯型電子機器の背面にプリンタやスキャナー
を装着した状態でクレードルに収め、かつ傾斜設置を示している。
【０００８】
ところで、拡張機能は前記した様に種々の目的があり、その機能に応じたユニ
ットのサイズは、最適な大きさがある。すなわち、ユニットの厚さは、その機能
を拡張するために種々有り得る。しかし、特開２０００−１７５３６５号公報の
例では、厚さの異なる拡張機能ユニットの場合、クレードルの傾斜面がそのユニ
ットと干渉して、やはりクレードルに搭載できない問題が生ずる。
【０００９】
したがって、使い勝っての良い傾斜設置の情報通信端末装置をクレードルに保
持した状態で、厚さの異なる各種拡張機能ユニットを装着できる構造的な配慮が
されていなかった。
【００１０】
【特許文献１】特開2000-13483号公報
【特許文献２】特開平10-336906号公報
【特許文献３】特開2000-175365号公報
【発明の開示】
【発明が解決しようとする課題】
【００１２】
本発明は、拡張機能ユニットを情報通信端末装置に装着した上でクレードルに保持可能な情報通信端末システムを提供することを目的とする。
【課題を解決するための手段】
【００１３】
本発明にかかる情報通信端末システムは、情報通信端末装置と、前記情報通信端末装置の機能を拡張する拡張機能ユニットと、前記情報通信端末装置を保持するクレードルと、を備える。前記情報通信端末装置は、表示画面を有する前面と、前記前面の反対側に設けられた背面と、前記前面と前記背面の間に設けられた上面と底面と第１の側面と第２の側面と、を有するケースにより構成され、前記第１の側面および前記第２の側面に、前記第１の側面および前記第２の側面の長手方向に沿って第１の長さを有する第１の結合部を備える。前記クレードルは、前記第１の長さよりも短い第２の長さを有し、前記第１の結合部の中で前記底面側に位置する第１の部分と結合する第２の結合部を備える。前記拡張機能ユニットは、前記第１の長さよりも短い第３の長さを有し、前記第１の結合部の中で前記第１の部分と異なる部分であって、前記第１の部分よりも前記上面側に位置する第２の部分と結合する第３の結合部を備える。情報通信端末システムは、前記第１の結合部に前記第２の結合部とともに前記第３の結合部を結合させ、前記情報通信端末装置に前記拡張機能ユニットを装着した上で、前記情報通信端末装置を前記クレードルに保持可能にすることを特徴とする。
【発明の効果】
【００１４】
本発明によれば、拡張機能ユニットを情報通信端末装置に装着した上でクレードルに保持可能な情報通信端末システムを提供できる。
【発明を実施するための最良の形態】
【００１５】
以下、本発明の一実施例を図面に基づき説明する。
【００１６】
図１、図２、図３は情報通信端末装置の外観を示すものである。図１は前面斜
め上方から見た斜視図、図２は裏面下方から見た斜視図、図３は裏面上方から見
た斜視図である。また図４は図１のＡ−Ａ断面、図５は図１の幅方向断面を示す
ものである。
【００１７】
情報通信端末装置１は、感圧素子（図示せず）で構成したタブレット２を前面
に、またタブレット２の下部に液晶表示装置（ＬＣＤと称す）４からなる表示部
を配置している。使用者はペン３を使用してタブレット２の表面で入力作業をし
、また、文字、数字やキャラクタで表示された情報内容を確認するものである。
【００１８】
この情報通信端末装置１は、タブレット２および液晶表示装置４の周囲を覆う
前面ケース５、裏面ケース６、制御基板８等を収納配置しているフレーム７と上
側面にアンテナ（図示せず）を内蔵するアンテナケース９を設けている。すなわ
ち情報通信端末装置１は前面ケース５、裏面ケース６、フレーム７、アンテナケ
ース９の４部品構成で筐体を構成している。
【００１９】
次に、情報通信端末装置１の周囲の配置構成について説明する。
【００２０】
情報通信端末装置１の前面ケース５の上部５４には、情報通信端末装置１全体
の電源をＯＮ／ＯＦＦする電源スイッチ１０、内蔵バッテリ１２の充電状態を示
す充電ＬＥＤ１１、メール等の着信を示すアラームＬＥＤ１３、そしてヘッドフ
ォンジャック１８とペン３の装備部がある。
【００２１】
情報通信端末装置１の片側側面５１ａにはメニュー表示、決定等を選択する回
転動作とプッシュ動作が可能なジョグダイヤル１４、キャンセルボタン１５を近
傍に設けてある。そこで、このジョグダイヤル１４とキャンセルボタン１５との
並行操作により、ペン３による文字入力以外の全ての操作が、片手持ちで出来る
ようにソフトウエアも含め構成している。またこの側面にはＳＤカードスロット
１６を設け、メモリーカードの他、ＧＰＳ（全地球測位システム）機能付カード
、あるいはカメラ付カード等の装着であってもよい。ホールドボタン１７は、情
報通信端末装置１の上部に設けたヘッドフォンジャック１８により音楽等を聞い
ている時のタブレット２の動作、電源スイッチ１０の動作、その他の動作を無効
にするものである。
【００２２】
この片側側面５１ａには情報通信端末装置１の裏面ケース６とフレーム７間で
形成する図５に示す凹溝３０ａがあり、これは後述する拡張機能ユニットとの装
着に使用するものである。なお凹溝３０ａと同じ寸法形状で、前述の片側側面５
１ａの反対側の片側側面５１ｂにも対称な凹溝３０ｂが配置してある。この凹溝
３０ａ、３０ｂは情報通信端末装置１の下部５５の方向から上部５４に向かって
伸延している。そして、この凹溝３０ａ、３０ｂは情報通信端末装置１のタブレ
ット２とＬＣＤ４で構成する表示部と平行である。これは後述するが、情報通信
端末装置１をクレードルに装填するさい、クレードルの成す傾斜角度と表示部の
傾斜角度を一致させるように装填できるので、使用者はクレードルに容易に装填
できる効果を持たせる為である。さらに、この凹溝３０ａ、３０ｂの情報通信端
末装置１の下部５５側は、後述する拡張機能ユニットの一部形成部が挿入可能に
なるように開口部５３ａ、５３ｂを設けてある。なお凹溝３０ａ、３０ｂは裏面
ケース６とフレーム７間で形成してあるが、裏面ケース６あるいはフレーム７等
それぞれに形成することも可能である。
【００２３】
情報通信端末装置１の下部５５は、情報通信端末装置１のクレードル接続用コ
ネクタ１９、ＤＣジャック２０とＵＳＢコネクタ２１および拡張機能ユニット接
続用コネクタ２２を配置している。クレードル接続用コネクタ１９は、後述する
クレードルと接続し、そしてＰＣとデータ連携するものである。またＤＣジャッ
ク２０は、ＡＣアダプタ単品使用時のＤＣジャックに使用する。後述のクレード
ル装着時はクレードルとクレードル接続用コネクタ１９とＤＣジャック２０の両
方が共に接続結合できるように構成している。ＵＳＢ（Universal Serial Bus）
コネクタ２１はキーボードやマウス等を接続操作できるものである。また拡張機
能ユニット接続用コネクタ２２は、後述の各種拡張機能ユニットと接続するもの
であり、各種拡張機能ユニットに共通して接続できるものである。
【００２４】
情報通信端末装置１の内部は、タブレット２の下部に配置した液晶表示パネル
（ＬＣＤ）４、情報処理基板８、この情報処理基板８の裏面に配した内蔵バッテ
リ１２、そして裏面に裏面ケース６の順番で配置している。さらにこの情報処理
基板８とＬＣＤ４の間には、ＳＤカードスロット１６を設けている。
【００２５】
次に、本発明の主要構成要素の一つである拡張機能ユニットについて説明する
。
この拡張機能ユニットとは、情報通信端末装置１がその携行性を重視して小型、
軽量化を図っているため、情報通信端末装置１には基本機能のみを装備している
。そして、使用者は使用シーンに応じて必要な機能を拡張するために、拡張機能
ユニットを選択的に装着して使用するものである。
【００２６】
その拡張機能ユニットの第一の実施例として、ＣＦカード拡張機能ユニットに
つて図６〜図８を用いて説明する。
【００２７】
図６はＣＦカード拡張機能ユニット２３の情報通信端末装置１に装着する面側
から見た斜視図、図７はその長手断面図、図８は幅方向断面図を示すものである
。
【００２８】
ＣＦカード拡張機能ユニット２３は上ケース２４、拡張機能ユニット背面ケー
ス２５を筐体として、その両ケース間にはＣＦコネクタ基板２６を設け、ＣＦカ
ードコネクタ２７と補助バッテリ２８を実装配置している。この補助バッテリ２
８は各種の機能を持つＣＦカード使用時の駆動時間を確保するためにＣＦカード
コネクタ２７の実装スペース以外の部分を利用して配置している。このＣＦコネ
クタ基板２６の下端部には、情報通信端末装置１の拡張機能ユニット接続用コネ
クタ２２と結合するための拡張機能ユニットコネクタ２９が設けてある。この拡
張機能ユニットコネクタ２９は、情報通信端末装置１とこの拡張機能ユニットを
一体型の状態で使用できるようにデータ伝送用のものである。
【００２９】
次にこのＣＦカード拡張機能ユニット２３と情報通信端末装置１の装着方法に
ついて図６〜図８及び図９で説明する。
【００３０】
ＣＦカード拡張機能ユニット２３の上ケース２４は凸部３１ａ、３１ｂを一体
的に形成する。この凸部３１ａ、３１ｂは情報通信端末装置１の側面５１ａ、５
１ｂの凹溝３０ａ、３０ｂと嵌合する位置関係にある。そしてこのＣＦカード拡
張機能ユニット２３の凸部３１ａ、３１ｂは、情報通信端末装置１の下部５５側
に設けた開口部５３ａ、５３ｂから凹溝３０ａ、３０ｂに挿入する。さらに凸部
３１ａ、３１ｂは凹溝３０ａ、３０ｂをスライドさせ、情報通信端末装置１とＣ
Ｆカード拡張機能ユニット２３を結合させる。このとき、凸部３１ａ、３１ｂの
情報通信端末装置１の長手方向位置は、概ね情報通信端末装置１の長さに対しほ
ぼ中央部に位置している。そして拡張機能ユニットコネクタ２９と情報通信端末
装置１の拡張機能ユニット接続用コネクタ２２がそのスライド係合に伴い同時結
合できる。
【００３１】
この凸部３１ａ、３１ｂはＣＦカード拡張機能ユニット２３の長手方向（図７
のＱ方向）において、ＣＦユニット上ケース２４の略中央付近に設けてある。そ
の凸部３１ａ、３１ｂの長さは情報通信端末装置１とＣＦカード拡張機能ユニッ
ト２３を結合した後の操作取扱時の強度を確保するように設計できる。
【００３２】
すなわち、本発明の実施例では情報通信端末装置１の長手方向（図７のＱ方向
）の長さ約１００ｍｍ、厚さ約２０ｍｍ、幅が約８０ｍｍ、凹溝３０ａ、３０ｂ
の長さ約７０ｍｍで重さ約１.６Ｎ（重量グラムで約１６０ｇｆ）であるが、Ｃ
Ｆカード拡張機能ユニット２３の厚さ（上ケース２４から拡張機能ユニット背面
ケース２５を含む厚さ、図７のＴ）は約１０ｍｍ、重さ約０.７Ｎ（重量グラム
で約７０ｇｆ）なので、凸部３１ａ、３１ｂ長さは約２５〜３０ｍｍで実用上許
容できる強度になる。
【００３３】
以上の構成により情報通信端末装置１とＣＦカード拡張機能ユニット２３を装
着した状態で情報通信端末装置１の下側５５に残る未使用の凹溝３０ａ、３０ｂ
を、後述するクレードルとの勘合用凹溝３２ａ、３２ｂとして使用できる。本発
明の第一の実施例は、この残る凹溝３２ａ、３２ｂ（長さ約３５ｍｍ）を、後述
のクレードルと結合するように構成したものである。
【００３４】
同様に他の拡張機能ユニットとして第二の実施例について説明する。図１０は
ＰＣカード拡張機能ユニット３３の情報通信端末装置１に装着する面側から見た
斜視図、図１１はその断面図を示すものである。このＰＣカード拡張機能ユニッ
ト３３の構造の要点は、上述のＣＦカード拡張機能ユニット２３と同一思想にて
拡張できるようにしたものである。
【００３５】
このＰＣカード拡張機能ユニット３３は、上ケース３６とＣＦカード拡張機能
ユニット２３と同じ拡張機能ユニットの背面ケース２５を筐体とし、その両ケー
ス間にＰＣカードコネクタ基板３４を設け、その基板にＰＣカードコネクタ３５
を実装配置したものである。さらに、ＰＣカードコネクタ基板３４の下端部には
、情報通信端末装置１の拡張機能ユニット接続用コネクタ２２と結合するための
拡張機能ユニットコネクタ２９を設けてある。これらの拡張機能ユニット接続用
コネクタ２２と拡張機能ユニットコネクタ２９を結合することで、この情報通信
端末装置１が機能を付加した状態で使用できる。
【００３６】
ところで、このＰＣカード拡張機能ユニット３３の上ケース３６には、先のＣ
Ｆカード拡張機能ユニット２３の凸部３１ａ、３１ｂと同様に凸部６１ａ、６１
ｂを設けてある。この凸部６１ａ、６１ｂは先のＣＦカード拡張機能ユニット２
３と情報通信端末装置１の装着と同様に行うものである。すなわち、情報通信端
末装置１の側面５１ａ、５１ｂの凹溝３０ａ、３０ｂに、この凸部６１ａ、６１
ｂを嵌合させ、凹溝３０ａ、３０ｂに沿ってスライドさせる。このとき、凸部３
１ａ、３１ｂの情報通信端末装置１の長手方向位置は、概ね情報通信端末装置１
の長さに対しほぼ中央部に位置している。そして、ＰＣカード拡張機能ユニット
３３は、情報通信端末装置１に装着できる。
【００３７】
なお、ＰＣカード拡張機能ユニット３３の上ケース３６は、その機能による部
品の形状あるいはサイズに応じて厚さ方向の寸法対応で最適サイズに設計してい
るものである。このＰＣカード拡張機能ユニット３３は厚さ（上ケース３６から
拡張機能ユニット背面ケース２５を含む厚さ、図１１のＵ）は約９ｍｍ、重さ約
０.６Ｎ（重量グラムで約６０ｇｆ）なので、第一実施例のＣＦカード拡張機能
ユニット２３の凸部３１ａ、３１ｂ長さ同様に約２５〜３０ｍｍで実用上許容で
きる強度である。
【００３８】
以上の構成により情報通信端末装置１とＰＣカード拡張機能ユニット３３を装
着した状態で情報通信端末装置１の下側５５に残る未使用の凹溝３０ａ、３０ｂ
を、後述するクレードルとの勘合用凹溝３２ａ、３２ｂとして使用できる。本発
明の第二の実施例は、この残る凹溝３２ａ、３２ｂ（長さ約３５ｍｍ）を、後述
のクレードルと結合するように構成したものである。
【００３９】
更に、他の拡張機能ユニットとして第三の実施例について説明する。図１２は
バッテリ拡張機能ユニット３７を情報通信端末装置１に装着する面側から見た斜
視図であり、図１３はその断面図を示すものである。このバッテリ拡張機能ユニ
ット３７の構造の要点は、前述のＣＦカード拡張機能ユニット２３と同一思想に
て拡張できるようにしたものである。
【００４０】
このバッテリ拡張機能ユニット３７は、上ケース４０とＣＦカード拡張機能ユ
ニット２３と同じ拡張機能ユニットの背面ケース２５を筐体とし、その両ケース
間にバッテリ拡張基板３８を設け、そのバッテリ拡張基板３８にバッテリ３９を
実装したものである。さらに、バッテリ拡張基板３８の下端部には、情報通信端
末装置１の拡張機能ユニットコネクタ２２と結合するための拡張機能ユニットコ
ネクタ２９を設けてある。これらの拡張機能ユニットコネクタ２２と拡張機能ユ
ニットコネクタ２９を結合することで、この情報通信端末装置１のバッテリ機能
を増加した状態で使用できる。
【００４１】
ところで、バッテリ拡張機能ユニット３７の上ケース４０には、先のＣＦカー
ド拡張機能ユニット２３の凸部３１ａ、３１ｂと同様に凸部７１ａ、７１ｂを設
けてある。この凸部７１ａ、７１ｂは先のＣＦカード拡張機能ユニット２３と情
報通信端末装置１の装着と同様に行うものである。すなわち、情報通信端末装置
１の側面５１ａ、５１ｂの凹溝３０ａ、３０ｂに、この凸部７１ａ、７１ｂを嵌
合させ、凹溝３０ａ、３０ｂに沿ってスライドさせる。このとき、凸部３１ａ、
３１ｂの情報通信端末装置１の長手方向位置は、概ね情報通信端末装置１の長さ
に対しほぼ中央部に位置している。そして、バッテリ拡張機能ユニット３７は、
情報通信端末装置１に装着できる。
【００４２】
なお、バッテリ拡張機能ユニット３７の上ケース４０は、その機能による部品
の形状あるいはサイズに応じて厚さ方向の寸法対応で最適サイズに設計している
ものである。このバッテリ拡張機能ユニット３７は厚さ（上ケース４０から拡張
機能ユニット背面ケース２５を含む厚さ、図１３のＶ）は約１１ｍｍ、重さ約１
.２Ｎ（重量グラムで約１２０ｇｆ）であるが、第一実施例のＣＦカード拡張機
能ユニット２３の凸部３１ａ、３１ｂの長さ同様に約２５〜３０ｍｍで十分に実
用上許容できる強度である。
【００４３】
以上の構成により情報通信端末装置１とバッテリ拡張機能ユニット３７を装着
した状態で情報通信端末装置１の下側５５に残る未使用の凹溝３０ａ、３０ｂを
、後述するクレードルとの勘合用凹溝３２ａ、３２ｂとして使用できる。本発明
の第三の実施例は、この残る凹溝３２ａ、３２ｂ（長さ約３５ｍｍ）を、後述の
クレードルと結合するように構成したものである。
【００４４】
次に本発明のクレードルの構成と情報通信端末装置１及び各種の拡張機能ユニ
ット２３、３３、３７との装着保持について説明する。図１４はクレードル４１
の単体であり、上方からの斜視図、図１５はクレードル４１で情報通信端末装置
１を保持した斜視図、図１６はさらに拡張機能ユニット２３を装着した状態の斜
視図、図１７は図１６の長手方向断面図、図１８は図１６の幅方向断面図（図１
６のＣ−Ｃ断面）を示す。
【００４５】
クレードル４１は上側をクレードルケース４２、机上に載せる下側をクレード
ルカバー４３で筐体にしている。このクレードルケース４２内にはクレードルコ
ネクタ４５を搭載したクレードル基板４４、ＵＳＢコネクタ４８、ＵＳＢケーブ
ル４７とＤＣジャック４９を配置している。そしてクレードルケース４２には情
報通信端末装置１の側面に形成された凹溝３０ａ，３０ｂの一部を成すクレード
ル勘合用凹溝３２ａ，３２ｂに嵌合うように、ＣＦカード拡張機能ユニット２３
の凸部３１ａ、３１ｂと形状が同じクレードル勘合リブの凸部４６ａ、４６ｂを
設けてある。このクレードル勘合リブの凸部４６ａ、４６ｂの伸延方向とクレー
ドル４１の底面７３（クレードルカバー４３の底面）の成す平面の仰ぎ角は７５
°にしてある。これは後述するクレードル４１と情報通信端末装置１を装填して
保持したさいに、情報通信端末装置１の表示部を使用者の使い易い角度である７
５°にする目的の為である。また、このクレードル４１はその底面７３において
、クレードル４１を机上に接置したさいの前縁８０から後端部８１までの長さを
凡そ７０ｍｍにしている。なおこのクレードル４１の形成材料は、成形のし易さ
からプラスチックモールドが好適であり、本発明の機能を損なうものではない。
【００４６】
次に、このクレードル４１と情報通信端末装置１の装着方法について説明する
。
【００４７】
その装着時はクレードル勘合リブの凸部４６ａ、４６ｂを情報通信端末装置１
の側面に形成したクレードル勘合用凹溝３２ａ，３２ｂに嵌合わせながら、凹溝
３０ａ，３０ｂに沿ってスライドさせる。そして、凸部４６ａ、４６ｂの一部を
成す係止部５０ａ、５０ｂに情報通信端末装置１の凹溝３０ａ、３０ｂの開口部
５３ａ、５３ｂを停止させる。この装着でクレードルコネクタ４５と情報通信端
末装置１のクレードル接続用コネクタ１９は接続できる。このさい、情報通信端
末装置１のタブレット２とＬＣＤ４で構成する表示部の傾斜角度とクレードル勘
合リブの凸部４６ａ、４６ｂの傾斜角度が平行になるように嵌合わせればよいの
で、使用者は容易に装填できる。
【００４８】
さらに次に、このクレードル４１と情報通信端末装置１及びＣＦカード拡張機
能ユニット２３との装着方法について説明する。
【００４９】
情報通信端末装置１とＣＦカード拡張機能ユニット２３を前記第一の実施例に
示す装着後、前記クレードル４１と情報通信端末装置１の装着方法と同様に、ク
レードル勘合リブの凸部４６ａ、４６ｂを情報通信端末装置１の側面に形成した
クレードル勘合用凹溝３２ａ，３２ｂに嵌合わせながら、スライドさせ、係止部
５０ａ、５０ｂにて停止させる。図１８はクレードル４１とＣＦカード拡張機能
ユニット２３を装着した情報通信端末装置１との装着状態を示す断面図で、クレ
ードル４１の凸部４６ａ、４６ｂがクレードル勘合用凹溝３２ａ，３２ｂに嵌合
った状態を示している。なおこのさい、前記クレードル４１と情報通信端末装置
１の装着の説明と同じく、ＣＦカード拡張機能ユニット２３を取り付けた情報通
信端末装置１の表示部の傾斜角度とクレードル勘合リブの凸部４６ａ、４６ｂの
傾斜角度が平行になるように嵌合わせればよいので、やはり使用者は容易に装填
可能である。
【００５０】
以上説明した装着方法で図１５〜図１８に示すように、クレードル４１と情報
通信端末装置１及びＣＦカード拡張機能ユニット２３とが装着される。この状態
でクレードル４１を机上に設置することで、情報通信端末装置１のタブレット２
とＬＣＤ４で構成する表示部の傾斜設置が可能になり、情報通信端末装置１の機
能に加えＣＦカード拡張機能ユニット２３の機能まで含め動作可能となる。
【００５１】
なお前記は拡張機能ユニットとしてＣＦカード拡張機能ユニット２３にて説明
したが、第二の実施例のＰＣカード拡張機能ユニット３３、第三の実施例のバッ
テリ拡張機能ユニット３７においても同様にできる。
【００５２】
さらに、クレードルケース４２に直付けあるいは着脱自在に設けられたＵＳＢ
ケーブル４７をＰＣに接続して、情報通信端末装置１を子機としてＰＣ間でデー
タ連携できるよう構成できる。さらにまた、ＵＳＢコネクタ４８で図示しないＵ
ＳＢキーボードやＵＳＢマウス等に接続すれば、情報通信端末装置１を親機とし
てより利便性の高い操作が机上でできるようになる。従って、本発明によれば外
出先においてもキーボード等を接続して使用できるものである。
【００５３】
前記の本実施例において、クレードル４１はその内部の機能部品が少なく、且
つその成形材料は重量の軽いプラスチックモールドである。そこで情報通信端末
装置１と拡張機能ユニットとクレードル４１を組合せた重量は、ほほ情報通信端
末装置１と拡張機能ユニットの重量になる。たとえば、ＣＦカード拡張機能ユニ
ット２３の厚さ約１０ｍｍ、重さは約約０.７Ｎ（重量グラムで約７０ｇｆ）の
場合、情報通信端末装置１の重さと合せ２.３Ｎになる。このときこのＣＦカー
ド拡張機能ユニット２３を装着した情報通信端末装置１をクレードル４１に配置
した状態で、クレードル４１はこの重さで転倒しないようにする必要がある。
【００５４】
いまＣＦカード拡張機能ユニット２３が装着されない状態して、情報通信端末
装置１の重心からクレードル４１の底面７３に向け、図１７に示すように垂線を
下ろすと、底面７３と交点７４で交差する。そして、ＣＦカード拡張機能ユニッ
ト２３を装着したときは、ＣＦカード拡張機能ユニット２３の重量による重心移
動により、その移動した重心の垂線は図１７に示すＲ方向に移動する。本実施例
の情報通信端末装置１とＣＦカード拡張機能ユニット２３は、その重心がそれぞ
れの形状の略中心にあるので、
拡張機能ユニットの重さをＷ１（＝０.７Ｎ）、厚さＬ（＝１０ｍｍ）
情報通信端末装置１の重さをＷ２（＝１.６Ｎ）、厚さＭ（＝２０ｍｍ）
情報通信端末装置１の表示部の成す平面と、クレードル４１の底面７３の成す
平面の仰ぎ角Φ（＝７５°）とすると、
図１７に示すＲ方向の重心移動量Ｎは数２で示され、Ｎ≒４.４ｍｍである。
【００５５】
【数１】
0004281791.tif 000002
【００５６】
なお、数２でＣｏｓは余弦を意味する。
【００５７】
ここで、数２を簡単にする為、Ｗ１とＷ２の比をＷＫとし、ＷＫ＝Ｗ１÷Ｗ２
とすると
【００５８】
【数２】
0004281791.tif 000003
【００５９】
なお、数３でＳｉｎは正弦を意味する。
【００６０】
すなわち、情報通信端末装置１のみをクレードル４１に配置したときの、情報
通信端末装置１の重心垂線の交点７４から、ＣＦカード拡張機能ユニット２３を
装着すると、その重心の垂線とクレードル４１の底面７３の交点は交点７４から
Ｒ方向に約４〜５ｍｍ移動する。ところで、本実施例の図１７の場合は交点７４
からクレードル４１の後端部８１までの長さが約２８ｍｍに設計してあるので、
このクレードル４１に、情報通信端末装置１とＣＦカード拡張機能ユニット２３
を配置しても転倒することなく、安定に保持できる。なお、図１７の底面７３に
滑り止め用足８３が下に伸びているが、この突起高さは約０.５ｍｍ以下である
ので、転倒防止に寄与する位置はこの後端部８１になる。しかし底面７３がクレ
ードルカバー４３の底面にならない滑り止め用足８３の高いものを使用した場合
は、後端部８１が実質滑り止め用足８３の部分になる。すなわち後端部８１は情
報通信端末装置１やＣＦカード拡張機能ユニット２３をクレードル４１に搭載し
た状態で、後ろに転倒するさいの支点を意味する。
【００６１】
また、この底面７３はクレードルカバー４３の底面に限らない。たとえば、ク
レードル４１の後端部のみ他の実施例として、図１９はクレードルケース４２の
後部を延ばし、後端部８２を交点７４からＲ方向に離れる点にして、より転倒に
対する安定性を増したものである。
【００６２】
次にバッテリ拡張機能ユニット３７を情報通信端末装置１に装着し、クレード
ル４１に組立て装填した場合についても検討してみる。
【００６３】
バッテリ拡張機能ユニット３７はバッテリ３９が重いので、その重さは約２Ｎ
（約２００ｇｆ）で厚さは約１０ｍｍである。この場合Ｎ≒８ｍｍであるが、前
述したように交点７４からクレードル４１の後端部８１までの長さが約２８ｍｍ
に設計してあるので、情報通信端末装置１とバッテリ拡張機能ユニット３７を配
置しても転倒することなく、やはり安定に保持できる。
【００６４】
ところで、情報通信端末装置１はその携行性を向上する為に、より薄く軽量に
する必要がある。使用者は携行時にその必要とする機能のみを搭載した情報通信
端末装置１を持ち、使用時に必要とする拡張機能ユニットをクレードル４１に装
填して使用すると、より利便性が向上する。
【００６５】
例えば、情報通信端末装置のＳＤカードスロットを除去し、バッテリもより短
寿命のものにして、厚さ１０ｍｍ、重さ１Ｎ（約１００ｇｆ）とすると共に、そ
の分拡張機能ユニットの機能を増やし厚さ３０ｍｍ、重さ３Ｎ（約３００ｇｆ）
のものを、本発明を適用した場合について、上記同様に検討する。
この場合数２によるＮはＮ≒１５ｍｍとなるので、前述のバッテリ拡張機能ユニ
ット３７を装着した場合と同じく、転倒することなく、やはり安定に保持できる
。
【００６６】
しかし、クレードル４１を非常に小さな架台で設置できるように、前縁８０か
ら後端部８１までの長さを５０ｍｍにすると、前述したように交点７４からクレ
ードル４１の後端部８１までの長さが約８ｍｍ程度になる。このようなクレード
ルに前述のような、情報通信端末装置の厚さ１０ｍｍ、重さ１Ｎ（約１００ｇｆ
）と機能を増やした拡張機能ユニットの厚さ３０ｍｍ、重さ３Ｎ（約３００ｇｆ
）を搭載すると、Ｎ≒１５ｍｍに対し、交点７４からクレードル４１の後端部８
１までの長さが約８ｍｍしかないので、この場合はクレードルが転倒して使用不
能になる。すなわち、交点７４からクレードル４１の後端部８１までの長さをＳ
とすると、
Ｓ＞Ｎ    （数4）
数４の関係を有するクレードルと情報通信端末装置と拡張機能ユニットでなけ
ればならない。このような関係で寸法と重量関係の仕様は設計可能であるから、
本発明は情報通信端末装置とその拡張機能ユニットをクレードルで保持するに好
適であることは明らかであろう。
【００６７】
以上述べたように、拡張機能ユニットの構造より、本実施例で説明した拡張機
能ユニット例以外の拡張機能ユニットにおいても当然のことではあるが、拡張す
るその機能によって部品の構造、形状、厚さ等が異なっても、本発明を有効に適
用できる。
【００６８】
そして、本発明においては、拡張機能で部品の構造、形状、厚さ、重さ等が異
なる拡張機能ユニットにおいても、拡張機能ユニット背面ケース２５を共用化し
、各々、部品の構造、形状の相違による厚さを各々の拡張ユニット上ケースの最
適構造で対応し、機能拡張を図れるように構成できるものである。また、クレー
ドル４１への装着時も情報通信端末装置１の凹溝３０ａ、３０ｂとクレードル勘
合リブの凸部４６ａ、４６ｂをガイドにして結合保持する構成よりなり、各種機
能拡張ユニットの厚さや重量が異なっても、前記の数３の条件を満足すれば厚さ
方向の制約が無く、機能に応じた最適サイズの拡張機能ユニットの設計が為し得
るものである。
【図面の簡単な説明】
【００６９】
【図１】本発明の情報通信端末装置の前面斜め上方から見た斜視外観図。
【図２】本発明の情報通信端末装置の裏面下方から見た斜視外観図。
【図３】本発明の情報通信端末装置の裏面上方から見た斜視外観図。
【図４】本発明の情報通信端末装置の長手方向断面図。
【図５】本発明の情報通信端末装置の幅方向断面図。
【図６】本発明のＣＦカード拡張機能ユニット２３の斜視図、
【図７】本発明のＣＦカード拡張機能ユニットの長手方向断面図。
【図８】本発明のＣＦカード拡張機能ユニットの幅方向断面図。
【図９】本発明のＣＦカード拡張機能ユニットと情報通信端末装置の幅方向断面図。
【図１０】本発明のＰＣカード拡張機能ユニット３３の斜視図、
【図１１】本発明のＰＣカード拡張機能ユニットの断面要部詳細図。
【図１２】本発明のバッテリ拡張機能ユニットの斜視図。
【図１３】本発明のバッテリ拡張ユニットの断面要部詳細図。
【図１４】本発明のクレードルの斜視図
【図１５】本発明のクレードル本体に情報通信端末装置本体をセットした使用状態図。
【図１６】本発明の情報通信端末装置にＣＦカード拡張ユニットを装着した上、クレードル本体にセットした使用状態図
【図１７】図１６の状態における断面要部詳細図。
【図１８】図１６のＣ−Ｃ断面図
【図１９】他のクレードルの実施例
【符号の説明】
【００７０】
１・・・情報通信端末装置、２・・・タブレット、３・・・ペン、４・・・ＬＣＤ、５・・・前面ケース、６・・・裏面ケース、７・・・フレーム、８・・・制御基板、９・・・アンテナケース、１０・・・電源スイッチ、１１・・・充電ＬＥＤ、１２・・・内蔵バッテリ、１３・・・アラームＬＥＤ、１４・・・ジョグダイヤル、１５・・・キャンセルボタン、１６・・・ＳＤカードスロット、１７・・・ホールドボタン、１８・・・ヘッドフォンジャック、１９・・・クレードル接続用コネクタ、２０・・・ＤＣジャック、２１・・・ＵＳＢコネクタ、２２・・・拡張機能ユニット接続用コネクタ、２３・・・ＣＦカード拡張機能ユニット、２４・・・ＣＦカード拡張機能ユニットの上ケース、２５・・・拡張機能ユニットの背面ケース、２６・・・ＣＦコネクタ基板、２７・・・ＣＦカードコネクタ、２８・・・補助バッテリ、２９・・・拡張機能ユニットコネクタ、３０ａ、３０ｂ
・・・情報通信端末装置１の側面の凹溝、３１ａ、３１ｂ・・・ＣＦカード拡張機能ユ
ニット上ケースの凸部、３２ａ，３２ｂ・・・情報通信端末装置１の側面の凹溝で
クレードル勘合用凹溝、３３・・・ＰＣカード拡張機能ユニット、３４・・・ＰＣカー
ドコネクタ基板、３５・・・ＰＣカードコネクタ、３６・・・ＰＣカード拡張機能ユニ
ット３３の上ケース、３７・・・バッテリ拡張機能ユニット、３８・・・バッテリ拡張
基板、３９・・・バッテリ、４０・・・バッテリ拡張機能ユニットの上ケース、４１・・
・クレードル、４２・・・クレードルケース、４３・・・クレードルカバー、４４・・・クレードル基板、４５・・・クレードルコネクタ、４６ａ、４６ｂ・・・クレードル勘合
リブの凸部、４７・・・クレードルケース４２のＵＳＢケーブル、４８・・・ＵＳＢコ
ネクタ、４９・・・ＤＣジャック、５０ａ、５０ｂ・・・係止部、５１ａ、５１ｂ・・・
情報通信端末装置１の側面、５３ａ、５３ｂ・・・凹溝３０ａ、３０ｂの開口部、
５４・・・情報通信端末装置の上部、５５・・・情報通信端末装置の下部、６１ａ、６
１ｂ・・・ＰＣカード拡張機能ユニット上ケースの凸部、７１ａ、７１ｂ・・・バッテ
リ拡張機能ユニット上ケースの凸部、７３・・・クレードル４１の底面、７４・・・情
報通信端末装置１の重心垂線とクレードル４１の底面７３の交点、  ８０・・・クレードル４１を机上に接置した時の底面７３の使用者側の前縁、８１・・・クレードル４１を机上に接置した時の底面７３の前縁に対向した後端部、８２・・・クレードルケース４２の後部を延ばした例の後端部、８３・・・滑り止め用足
【図１】
0004281791.tif 000004
【図２】
0004281791.tif 000005
【図３】
0004281791.tif 000006
【図４】
0004281791.tif 000007
【図５】
0004281791.tif 000008
【図６】
0004281791.tif 000009
【図７】
0004281791.tif 000010
【図８】
0004281791.tif 000011
【図９】
0004281791.tif 000012
【図１０】
0004281791.tif 000013
【図１１】
0004281791.tif 000014
【図１２】
0004281791.tif 000015
【図１３】
0004281791.tif 000016
【図１４】
0004281791.tif 000017
【図１５】
0004281791.tif 000018
【図１６】
0004281791.tif 000019
【図１７】
0004281791.tif 000020
【図１８】
0004281791.tif 000021
【図１９】
0004281791.tif 000022